(57)【特許請求の範囲】
【請求項１】
容器口部の外周に形成された雄ねじに螺合する雌ねじが設けられたスカート壁と、該スカート壁の下部に環状弱化部を介して連結されたタンパーエビデンスバンドとを具備したキャップであって、
前記タンパーエビデンスバンドの内周側に、前記容器口部の外周に設けられた環状突起に下方から係止可能なフックが周方向に間隔をおいて複数設けられ、
押圧抵抗低減部が前記タンパーエビデンスバンドの全周にわたって設けられ、
前記タンパーエビデンスバンドの内周側において、前記フックの上方には、前記環状突起の外周面に当接する当接部が設けられ、
前記押圧抵抗低減部は、前記タンパーエビデンスバンドの外周面に設けられ、該タンパーエビデンスバンドの周方向に延びるスリット又は溝によって構成され、
前記フックの上端の高さ位置を０とし、前記環状弱化部の高さ位置を１としたときに、前記スリット又は溝の高さ位置は０〜０．５の範囲にあり、
前記当接部の厚みを１としたときに、前記スリット又は溝の深さは０．３〜０．７となるように構成され、
また、前記当接部は、前記フックに連なる位置から前記押圧抵抗低減部よりも上方にまで延びていることを特徴とする合成樹脂製キャップ。
【請求項２】
前記スリット又は溝は、前記タンパーエビデンスバンドの軸方向に間隔をおいて複数存在するか、又は螺旋状に延びている請求項１に記載の合成樹脂製キャップ。
【請求項３】
前記押圧抵抗低減部は、前記タンパーエビデンスバンドの軸方向に対して斜めに延びる複数のスリット又は溝によって構成されている請求項１に記載の合成樹脂製キャップ。
【請求項４】
請求項１〜３の何れか一項に記載の合成樹脂製キャップが口部に装着された容器。
【発明の詳細な説明】
【技術分野】
【０００１】
本発明は、例えば、飲料物等の内容物を収容する容器の口部に装着される合成樹脂製キャップ及びこれを備えた容器に関する。
【背景技術】
【０００２】
飲料物等の内容物を収容する容器の口部に装着されるキャップとして、一目で開栓の有無を確認可能に構成されたものが広く用いられている。このようなキャップとして、容器口部の雄ねじに螺合する雌ねじが設けられたスカート壁を有するキャップ本体と、スカート壁の下部に環状弱化部を介して連結されたタンパーエビデンスバンドとを具備するものが知られている。
【０００３】
上記従来のキャップでは、容器口部に装着された状態からの開栓操作に伴い、タンパーエビデンスバンドの内周に設けられたフック（係止手段）が容器口部の外周に設けられた環状突起（係止あご部）に係止した後、タンパーエビデンスバンドとスカート壁とを画するミシン目状のスリット間に形成されたブリッジ（橋絡部）が破断され、キャップ本体とタンパーエビデンスバンドとが互いに分離される（特許文献１参照）。従って、環状弱化部を構成するブリッジの破断の有無を視認することにより、開栓操作が行われたか否かを容易に確認することができる。
【先行技術文献】
【特許文献】
【０００４】
【特許文献１】特開２０１１−１４３９４２号公報
【発明の概要】
【発明が解決しようとする課題】
【０００５】
しかし、特許文献１に記載されたキャップでは、容器口部への装着時にフックが環状突起から押圧される際、この押圧が原因となって環状弱化部（ブリッジ）が破断する恐れがある。
【０００６】
本発明は上述の事柄に留意してなされたもので、その目的は、容器口部への装着時における環状弱化部の破断の防止を図ることができる合成樹脂製キャップ及び容器を提供することにある。
【課題を解決するための手段】
【０００７】
上記目的を達成するために、本発明に係る合成樹脂製キャップは、容器口部の外周に形成された雄ねじに螺合する雌ねじが設けられたスカート壁と、該スカート壁の下部に環状弱化部を介して連結されたタンパーエビデンスバンドとを具備したキャップであって、前記タンパーエビデンスバンドの内周側に、前記容器口部の外周に設けられた環状突起に下方から係止可能なフックが周方向に間隔をおいて複数設けられ、押圧抵抗低減部が前記タンパーエビデンスバンドの全周にわたって設けられ、前記タンパーエビデンスバンドの内周側において、前記フックの上方には、前記環状突起の外周面に当接する当接部が設けられ、前記押圧抵抗低減部は、前記タンパーエビデンスバンドの外周面に設けられ、該タンパーエビデンスバンドの周方向に延びるスリット又は溝によって構成され、前記フックの上端の高さ位置を０とし、前記環状弱化部の高さ位置を１としたときに、前記スリット又は溝の高さ位置は０〜０．５の範囲にあり、前記当接部の厚みを１としたときに、前記スリット又は溝の深さは０．３〜０．７となるように構成され、また、前記当接部は、前記フックに連なる位置から前記押圧抵抗低減部よりも上方にまで延びている（請求項１）。
【０００８】
上記合成樹脂製キャップにおいて、前記スリット又は溝は、前記タンパーエビデンスバンドの軸方向に間隔をおいて複数存在するか、又は螺旋状に延びていてもよい（請求項２）。
【０００９】
上記合成樹脂製キャップにおいて、前記押圧抵抗低減部は、前記タンパーエビデンスバンドの軸方向に対して斜めに延びる複数のスリット又は溝によって構成されていてもよい（請求項３）。
【００１０】
上記目的を達成するために、本発明に係る容器は、請求項１〜３の何れか一項に記載の合成樹脂製キャップが口部に装着されている（請求項４）。
【００１１】
【発明の効果】
【００１２】
本願発明では、容器口部への装着時における環状弱化部の破断の防止を図ることができる合成樹脂製キャップ及び容器が得られる。
【００１３】
すなわち、本願の各請求項に係る発明の合成樹脂製キャップでは、容器口部への装着時にフックが環状突起に押圧される際、この押圧はフックを介してバンド全体を広げようとする力となり、バンドにはこの押圧に抵抗する力が発生するが、バンドにおいて押圧抵抗低減部の近傍の部位は、前記押圧により大きく弾性変形することになり、これにより、上記押圧に抵抗する力は低減し、結果として、環状突起によるフックの押圧に伴う環状弱化部の破断の防止を図ることができる。
【図面の簡単な説明】
【００１４】
【図１】（Ａ）及び（Ｂ）は、本発明の一実施の形態に係る合成樹脂製キャップの構成を概略的に示す縦断面図及び底面図である。
【図２】図１（Ｂ）のＸ−Ｘ線切断端面図であり、合成樹脂製キャップの上部の図示は省略している。
【図３】（Ａ）〜（Ｃ）は、各々前記合成樹脂製キャップの変形例を示す図であって、（Ａ）及び（Ｂ）は円筒状のタンパーエビデンスバンドを展開したときにおける外周面を示す説明図であり、（Ｃ）はタンパーエビデンスバンドの内周面におけるフック近傍の部位のみを示す説明図である。
【発明を実施するための形態】
【００１５】
本発明の実施の形態について図面を参照しながら以下に説明する。
【００１６】
図１（Ａ）及び（Ｂ）に示す合成樹脂製キャップ（以下、キャップという）１は、例えばペットボトル等の図示しない容器の口部に装着されて使用されるものであり、コンプレッション成形又はインジェクション成形によって、ポリエチレンで一体的に成形されている。なお、キャップ１を形成する素材は、特に限定されるものではなく、本実施形態で用いたポリエチレンの他、ポリプロピレン等が好適に用いられる。
【００１７】
そして、キャップ１は、平面視において略円形状の天壁２と、この天壁２の外周部から下向きに延びる略円筒状のスカート壁３を有している。ここで、スカート壁３の外周面にはローレット溝４を、内周面には雌ねじ５を設けてあり、この雌ねじ５は容器口部の外周に形成された雄ねじ（図示していない）に結合可能である。
【００１８】
また、キャップ１は、未開封（開栓が一度もされていないこと）を証明する機能を有するピルファープルーフキャップであり、スカート壁３の下部には、スカート壁３の全周にわたって延びる環状弱化部６を介してタンパーエビデンスバンド（以下、単に「バンド」という）７を連結してある。
【００１９】
すなわち、環状弱化部６は、スカート壁３とバンド７とを上下に画するものであり、スカート壁３及びバンド７の周方向に断続して延びる（ミシン目状の）スリットと、隣り合うスリットの間に存在するブリッジとで構成され、ブリッジは所定の力で引っ張られると破断する。
【００２０】
そして、このバンド７の内周側には、内向きに突出し、内側への突出量が上側ほど増大するように構成されたフック８を、周方向に間隔をおいて複数（例えば９個）設けてある。各フック８は、キャップ１が容器口部に装着された状態で、容器口部の外周において雄ねじよりも下方に形成された図示しない環状突起（ビード部）の略下側へ位置し、開栓操作によって当該環状突起に係止する。すなわち、フック８は、環状突起に下方から係止可能に構成されている。
【００２１】
また、バンド７の内周側において、フック８の上方には、容器口部への装着過程において環状突起の外周面に当接する当接部９が設けられている。この当接部９は、バンド７の周方向に延び、全周にわたって連続して設けられている。そして、容器口部に装着されたキャップ１を開栓する際、容器口部の環状突起の外周面に当接部９が当接することにより、キャップ１が斜めに持ち上がることが防止され、環状弱化部６が偏らずに略均一に破断するので、タンパーエビデンス性は良好となる。
【００２２】
そして、本実施形態では、容器口部へのキャップ１の装着時にフック８が環状突起に押圧される際に該押圧に対する抵抗を低減するための押圧抵抗低減部１０をバンド７の全周にわたって設けてある。具体的には、図２に示すように、バンド７の外周面において、当接部９の外側に相当する位置に設けられ、バンド７の全周にわたって無端状に延びる連続又は不連続のスリットによって押圧抵抗低減部１０を構成している。
【００２３】
このスリットは、フック８の上端の高さ位置を０とし、環状弱化部６の高さ位置を１としたときに、その高さ位置が０〜０．５の範囲にある（換言すれば、フック８の上端から環状弱化部６までの距離をｄとしたときに、フック８の上端から環状弱化部６に向かって距離ｄの０〜０．５倍離れた位置にある）。また、このスリットは、当接部９の厚みを１としたときに、その深さが０．３〜０．７となるように構成されている（換言すれば、当接部９の厚みをｔとしたときに、この厚みｔの０．３〜０．７倍の深さを有するように構成されている）。そして、このスリットの深さは、全周にわたって均一でもよいし不均一であってもよい。また、スリットではなく、ある程度の幅を有する溝によって押圧抵抗低減部１０を構成してもよい。なお、上述の当接部９は、フック８に連なる位置から押圧抵抗低減部１０よりも上方にまで延びている。
【００２４】
上記構成からなるキャップ１では、以下の効果が得られる。すなわち、容器口部へのキャップ１の装着時にフック８が環状突起に押圧される際、この押圧はフック８を介してバンド７全体を広げようとする力となり、バンド７にはこの押圧に抵抗する力が発生する。しかし、バンド７において押圧抵抗低減部１０を構成するスリットの近傍の部位は、前記押圧により大きく弾性変形することになり、これにより、上記押圧に抵抗する力は低減し、結果として、環状突起によるフック８の押圧に伴う環状弱化部６の破断の防止を図ることができる。
【００２５】
なお、本発明は、上記の実施の形態に何ら限定されず、本発明の要旨を逸脱しない範囲において種々に変形して実施し得ることは勿論である。例えば、以下のような変形例を挙げることができる。
【００２６】
上記実施の形態では、押圧抵抗低減部１０を構成するスリット又は溝がバンド７の外周面に設けられ、内周面には至っていないが、これに限らず、例えば、スリット又は溝が、バンド７の内周面に設けられ、外周面には至っていなくてもよいし、スリット又は溝を不連続に形成する場合は、スリット又は溝が内周面から外周面にまで至るようにバンド７を貫通していてもよい。
【００２７】
また、上記実施の形態では、押圧抵抗低減部１０を、バンド７の周方向に延びる連続又は不連続の一本のスリット又は溝によって構成しているが、これに限らず、バンド７の軸方向に間隔をおいて存在する二本以上のスリット又は溝によって押圧抵抗低減部１０を構成してあってもよい。また、二つ以上のスリット又は溝を設ける場合、それらの深さや幅は同一でもよいし異なっていてもよく、さらに、外周面側のみに存在するスリット又は溝と、内周面側のみに存在するスリット又は溝との両方を併せて設けるようにしてもよい。
【００２８】
また、上記実施の形態では、押圧抵抗低減部１０を構成するスリット又は溝を無端状（環状）としているが、これに限らず、スリット又は溝を例えば螺旋状としてもよく、この場合も、スリット又は溝を一本としても複数本としてもよい。
【００２９】
また、上記実施の形態では、押圧抵抗低減部１０を構成するスリット又は溝がバンド７の周方向に延びているが、これに限らず、例えば、バンド７の軸方向に延びる複数のスリット又は溝によって押圧抵抗低減部１０を構成してあってもよいし（図３（Ａ）参照）、バンド７の軸方向に対して斜めに延びる複数のスリット又は溝によって押圧抵抗低減部１０を構成してあってもよい（同（Ｂ）参照）。
【００３０】
また、上記実施の形態では、押圧抵抗低減部１０を構成するスリット又は溝を、バンド７の外周面において当接部９の外側に相当する位置に設けているが、これに限らず、例えば、フック８の表面（例えば内周面の上部）に、バンド７の軸方向に延びる複数のスリット又は溝を設けることにより、フック８の表面に縦に延びるリブを複数設けるようにしてもよい（図３（Ｃ）参照）。この場合、容器口部に対するキャップ１の装着時には、押圧抵抗低減部１０を構成するリブが容器口部に押圧されて弾性変形することで押圧に対する抵抗が低減し、開栓時には、すでに弾性復帰している押圧抵抗低減部１０を構成するリブがリブ効果を発揮することにより、容器口部の環状突起にフック８が強く係止し、バンド７の所謂すっぽ抜けが防止されることになる。
【００３１】
図１には、キャップ１が別体のパッキンを持たないいわゆる１ピースキャップである例を示しているが、これに限らず、キャップ１は、別体のパッキンを有するいわゆる２ピースキャップであってもよい。
【００３２】
上記実施形態の雌ねじ５は３条ねじであるが、これに限らず、雌ねじ５が１条ねじ、２条ねじ等であってもよい。
【００３３】
なお、上記変形例どうしを適宜組み合わせてもよいことはいうまでもない。例えば、図２に示すスリット又は溝と、図３（Ａ）に示すスリット又は溝とによって押圧抵抗低減部１０を構成するようにしてもよい。また、図３（Ａ）及び（Ｂ）には、スリット又は溝がバンド７の外周面に設けられている場合を記載しているが、スリット又は溝が、バンド７の内周面に設けられていてもよいし、バンド７の外周面及び内周面の両方に設けられていてもよいし、バンド７を内外にわたって貫通するように設けられていてもよい。
【符号の説明】
【００３４】
１    キャップ
２    天壁
３    スカート壁
４    ローレット溝
５    雌ねじ
６    環状弱化部
７    バンド
８    フック
９    当接部
１０    押圧抵抗低減部
【要約】
容器口部への装着時における環状弱化部の破断の防止を図ることができる合成樹脂製キャップを提供すること。
容器口部の外周に形成された雄ねじに螺合する雌ねじ５が設けられたスカート壁３と、該スカート壁３の下部に環状弱化部６を介して連結されたタンパーエビデンスバンド７とを具備したキャップ１であって、前記タンパーエビデンスバンド７の内周側に、前記容器口部の外周に設けられた環状突起に下方から係止可能なフック８が周方向に間隔をおいて複数設けられ、押圧抵抗低減部１０が前記タンパーエビデンスバンド７の全周にわたって設けられている。【図１】
0005918450.tif 000002
【図２】
0005918450.tif 000003
【図３】
0005918450.tif 000004